(57)【要約】【課題】人が患部に貼って使用する湿布において、その湿布の薬剤から発散する刺激臭を分解吸着して消臭できるようにした。【解決手段】患部に貼られる湿布Ｓに、脱臭剤６を塗布した脱臭シートＤを重ね貼りして、その脱臭剤６により、湿布剤２から発散する刺激臭を分解吸着して消臭する。【選択図】  図２
2004187941.tif 000002
【特許請求の範囲】
【請求項１】
患部に貼られた湿布（Ｓ）の外面に、脱臭剤（６，６′）を塗布した脱臭シート（Ｄ）を重ね貼りして、湿布剤（２）より発散する刺激臭を吸着して分解消臭することを特徴とする、湿布剤の脱臭方法。
【請求項２】
患部に貼られた湿布剤（２）の外面に、脱臭剤（６，６′）を含浸させた脱臭シート（Ｄ）を重ね貼りして、湿布剤（２）より発散する刺激臭を吸着して分解消臭することを特徴とする、湿布剤の脱臭方法。
【請求項３】
前記請求項１記載の脱臭方法に使用される脱臭シートであって、シート本体（５）の片面に、湿布剤（２）の刺激臭を吸着して分解消臭する脱臭剤（６，６′）を塗布し、前記シート本体（５）は、前記湿布（Ｓ）の外面を覆うようにして患部に貼り付けられることを特徴とする、湿布剤の脱臭シート。
【請求項４】
前記請求項２記載の脱臭方法に使用される脱臭シートであって、シート本体（５）に、湿布剤（２）の刺激臭を吸着して分解消臭する脱臭剤（６，６′）を含浸させ、その脱臭剤（６，６′）を含浸させたシート本体（５）の片面に、前記湿布剤（２）を塗布したことを特徴とする、湿布剤の脱臭シート。
【発明の詳細な説明】
【０００１】
【発明の属する技術分野】
本発明は、人の患部に貼り付けた湿布から発散する刺激臭を分解消臭して無臭化する湿布剤の脱臭方法およびその脱臭シートに関する。
【０００２】
【従来の技術】
従来、人の患部に貼り付けて使用する湿布は、図８に示すように、布片、紙片などのシート状の基材に湿布剤を塗布させたもの、もしくは基材自体に湿布剤を含浸させたものが一般に知られているが、湿布剤には、ハッカなどの刺激臭の強い薬剤が混入されているため、この湿布を使用している人からその刺激臭が発散して周囲の人に迷惑をかけることや、使用している人自身がそれを他人に知られたくないことから、湿布の使用を敬遠する人が多く見受けられる。
【０００３】
そこで、従来より湿布の製造メーカーなどでは、湿布剤中に、直接脱臭剤を混入してその刺激臭を和らげるようにする技術手段が種々提案されている。
【０００４】
【発明が解決しようとする課題】
ところが、湿布剤中に、脱臭剤を直接混入する場合に、脱臭効果を挙げるほどに脱臭剤の量を多くすると、湿布剤の薬効が著しく低下してしまい、その結果、刺激臭がなく、薬効の高い湿布は未だに実用化されていないのが現状である。
【０００５】
本発明は、かかる実情に鑑みてなされ、湿布剤中には、脱臭剤が混入することがないようにして湿布剤の薬効を損じることなく、しかも湿布剤から発散する刺激臭を効果的に脱臭できるようにした、新規な湿布剤の脱臭方法およびその脱臭シートを提供することを目的とする。
【０００６】
【課題を解決するための手段】
前記目的を達成するために、請求項１記載の発明は、湿布剤の脱臭方法であって、患部に貼られた湿布の外面に、脱臭剤を塗布した脱臭シートを重ね貼りして、湿布剤より発散する刺激臭を吸着して分解消臭することを特徴としており、かかる特徴によれば、人は湿布を使用する際に、その刺激臭を気にすることなく、しかも他人に気付かれずに安心して使用することができる。
【０００７】
また、前記目的を達成するために、請求項２記載の発明は、湿布剤の脱臭方法であって、患部に貼られた湿布剤の外面に、脱臭剤を含浸させた脱臭シートを重ね貼りして、湿布剤より発散する刺激臭を吸着して分解消臭することを特徴としており、かかる特徴によれば、人は湿布を使用する際に、その刺激臭を気にすることなく、しかも他人に気付かれずに安心して使用することができる。
【０００８】
さらに、前記目的達成のため、請求項３記載の発明は、前記請求項１記載の脱臭方法に使用される脱臭シートであって、シート本体の片面に、湿布剤の刺激臭を吸着して分解消臭する脱臭剤を塗布し、前記シート本体は、前記湿布の外面を覆うようにして患部に貼り付けられることを特徴としており、かかる特徴によれば、脱臭シートは単に湿布を覆うように患部に貼り付ければよいので、その取り扱いが簡単、容易である。
【０００９】
さらにまた、前記目的達成のため、請求項４記載の発明は、前記請求項２記載の脱臭方法に使用される脱臭シートであって、シート本体に、湿布剤の刺激臭を吸着して分解消臭する脱臭剤を含浸させ、その脱臭剤を含浸させたシート本体の片面に、前記湿布剤を塗布したことを特徴としており、かかる特徴によれば、脱臭シートは、湿布剤とともに患部に貼り付けるだけでよいので、その取り扱いが一層簡単、容易である。
【００１０】
【発明の実施例の形態】
以下、本発明の実施の形態を、添付図面に示した本発明の実施例に基づいて説明する。
【００１１】
まず、図１〜３を参照して本発明の第１実施例について説明する。
【００１２】
図１は、本発明脱臭シートを用いて湿布をしている状態を示す使用者の図、図２は、湿布および脱臭シートの一部破断斜視図、図３は、図２の３−３線に沿う断面図である。
【００１３】
図２，３において、湿布Ｓは、従来公知のものであり、四角に裁断した伸縮性のあるシート状の布または紙よりなる基材１の片面に湿布剤２を塗布してなり、その湿布剤２の粘着性のある表面に、透明な剥離フィルム３を剥離可能に粘着して構成されている。この湿布Ｓを使用するときは、通常のように、剥離フィルム３を剥がして湿布剤２を露出させ、その粘着性のある表面を、人の患部に貼り付ける。そして湿布剤２の薬剤は、人の患部へと浸透していき薬効を発揮する。
【００１４】
ところで、かかる湿布Ｓの湿布剤２中には、ハッカなどの刺激臭の強い薬剤が混入されているため、この刺激臭が外部に発散して周囲の人に不快感を与え、また使用者自身が湿布を使用していることを他人に気付かれてしまうという弊害があるが、本発明はかかる弊害を解消する湿布剤の脱臭方法およびその脱臭シートであって、その脱臭方法に使用される脱臭シートＤは、湿布Ｓの湿布剤２から発散する刺激臭を吸着して分解消臭し、しかも湿布剤２の薬効を何ら損なうことがない。
【００１５】
図２，３に示すように、脱臭シートＤは、前記湿布Ｓよりも一回り大きい四角状に形成され、伸縮性のある紙あるいは布などよりなるシート本体５の片面に、その外周囲に額縁状の貼付代８を残して脱臭粉、脱臭粒、脱臭液などの脱臭剤６を塗布し、その上に、透明な剥離フィルム７を剥離可能に粘着する。前記貼付代８には、使用者の皮膚への粘着を可能とする粘着剤が塗布される。
【００１６】
前記脱臭剤６としては、たとえば
▲１▼特開昭６３−２１２３６３号公報に開示されるものが用いられる。
【００１７】
この脱臭剤は、ゼオライトにパパイン酵素を添加して粉末状または粒状に形成したものであり、強力な脱臭作用を有し、毒性がなく、シート本体５の片面に、その周囲の貼付代８を残して塗布する。
【００１８】
▲２▼また、特公平２−３３６８６号公報に開示されるものが用いられる。
【００１９】
この脱臭剤はモンモリナイトとパパイン酵素の配合粉末を混合して粉末状に形成したものであり、強力な脱臭作用を有し、毒性がなく、シート本体５の肩面に、その周囲の貼付代８を残して塗布する。
【００２０】
つぎに、前記脱臭シートＤを、湿布Ｓとともに使用する場合について説明すると、図１に示すように、人の患部に湿布Ｓを通常のように貼り付けたのち、この湿布Ｓの外面に、この湿布Ｓよりも一回り大きい前記脱臭シートＤを、剥離フィルム７を剥がしたのち、脱臭剤６が塗布されている面を接触するようにして重ね合わせて、その脱臭剤シートＤの外周の貼付代８を患部に貼り付ける。
【００２１】
このとき、湿布Ｓ側の湿布剤２と、脱臭シートＤ側の脱臭剤６とは、湿布Ｓの基材１により遮られて、脱臭剤６が、湿布剤２内に混入することがないため、湿布剤２は、脱臭剤６の混入によりその薬効が損なわれることがなく、しかも、その湿布剤２から発散する刺激臭を、脱臭剤６により分解消臭して脱臭することができる。
【００２２】
これにより、人は湿布の刺激臭を気にすることなく、しかも他人に気付かれずに安心して使用することができる。
【００２３】
つぎに、図４，５を参照して本発明の第２実施例について説明する。
【００２４】
図４は、湿布および脱臭シートの一部破断斜視図、図５は、図４の５−５線に沿う断面図である。
【００２５】
この第２実施例は、脱臭シートＤの脱臭剤６′…を、複数枚（この実施例では６枚）の小片に分けて、それらの脱臭剤６′…を一枚のシート本体５上に、隙間をあけて、格子状に塗布し、その上に剥離フィルム７を剥離可能に粘着した場合であり、この脱臭シートＤも前記第１実施例と同じく湿布Ｓの基材１の片面に重ね合わて使用される。この場合、複数の脱臭剤６′…の外周部は、湿布Ｓよりも若干はみ出すようにする方が、湿布剤２からの刺激臭を吸着消臭するのに効果的である。
【００２６】
この第２実施例も前記実施例と同じく、人の患部に湿布Ｓを通常のように貼り付けたのち、この湿布Ｓの外面に、この湿布Ｓよりも一回り大きい前記脱臭シートＤを剥離フィルム７を剥がしたのち、その脱臭剤６′…側を接触するようにして重ね合わせて、その脱臭シートＤの外周の貼付代８を患部に貼り付ける。
【００２７】
このとき、湿布Ｓ側の湿布剤２と、脱臭シートＤ側の複数の脱臭剤６′…とは、湿布Ｓの基材１により遮られていて、脱臭剤６′…が、湿布剤２内に混入することがないため、湿布剤２は、脱臭剤６′…の混入によりその薬効が損なわれることがなく、しかも、その湿布剤２から発散する刺激臭を、脱臭剤６′…により分解吸着して消臭することができる。
【００２８】
なお、この第２実施例では、脱臭シートＤを、複数の脱臭剤６′…毎に裁断して使用するようにしてもよい。
【００２９】
つぎに、図６，７を参照して本発明の第３実施例について説明する。
【００３０】
図６は、湿布剤に脱臭シートを貼り合わせた状態の一部破断斜視図、図７は、図６の７−７線に沿う断面図である。
【００３１】
この第３実施例では、湿布Ｓの基材１自体が、脱臭シートＤのシート本体５として使用される。このシート本体５は、不織布などの伸縮性の布あるいは紙により構成されており、該シート本体５には、脱臭剤６が含浸され、その片面に湿布剤２が塗布され、この湿布剤２の上に剥離フィルム３が剥離可能に粘着される。この場合、シート本体（湿布Ｄの基材１）に含浸された脱臭剤６は、湿布剤２に混入することがない。湿布剤２の粘着性表面には、透明な剥離フィルム３が粘着される。
【００３２】
この第３実施例の脱臭シートＤ付の湿布Ｓの使用に当たっては、剥離フィルム３を剥がしたのち、湿布剤２の粘着性表面を患部に貼り付ける。
【００３３】
このとき、湿布Ｓの基材１、すなわちシート本体５に含浸された脱臭剤６は、外部に発散することがなく、湿布剤２に混入することがなく、湿布剤２は、脱臭剤６の混入によりその薬効が損なわれることがなく、しかも、その湿布剤２から発散する刺激臭を、脱臭剤６により分解吸着して消臭することができる。
【００３４】
これにより、人は湿布の刺激臭を気にすることなく、しかも他人に気付かれずに安心して使用することができる。
【００３５】
以上、本発明の実施例について説明したが、本発明はその実施例に限定されることなく、本発明の範囲内で種々の実施例が可能である。
【００３６】
たとえば、前記実施例に示される脱臭剤に代えて他の同効の脱臭剤を使用してもよい。また、湿布として従来公知のものを使用することができる。
【００３７】
【発明の効果】
以上のように、請求項１または２記載の発明によれば、人は湿布を使用する際に、その刺激臭を気にすることなく、しかも他人に気付かれずに安心して使用することができる。
【００３８】
また、請求項３記載の発明によれば、前記請求項１記載の脱臭方法に使用される脱臭シートは単に湿布を覆うように患部に貼り付ければよいので、その取り扱いが簡単、容易である。
【００３９】
さらに、請求項４記載の発明によれば、前記請求項２記載の脱臭方法に使用される脱臭シートは、湿布剤とともに患部に貼り付けるだけでよいので、その取り扱いが一層簡単、容易である。
【図面の簡単な説明】
【図１】脱臭シートを用いて湿布をしている状態を示す使用者の図（第１実施例）
【図２】湿布および脱臭シートの一部破断斜視図（第１実施例）
【図３】図２の３−３線に沿う断面図（第１実施例）
【図４】湿布および脱臭シートの一部破断斜視図（第２実施例）
【図５】図４の５−５線に沿う断面図（第２実施例）
【図６】湿布剤に脱臭シートを重ね合わせた状態の一部破断斜視図（第３実施例）
【図７】図６の７−７線に沿う断面図（第３実施例）
【図８】従来の湿布の一部破断斜視図
【符号の説明】
２            湿布剤
５            シート本体
６            脱臭剤
６′          脱臭剤
Ｄ            脱臭シート
Ｓ            湿布
【図１】
2004187941.tif 000003
【図２】
2004187941.tif 000004
【図３】
2004187941.tif 000005
【図４】
2004187941.tif 000006
【図５】
2004187941.tif 000007
【図６】
2004187941.tif 000008
【図７】
2004187941.tif 000009
【図８】
2004187941.tif 000010